(57)【要約】【課題】  折り重ねられた用紙を給紙ローラーにより給紙させて搬送させる際に、折り重ねられた用紙の上面と下面との重なりがずれて搬送ミスが発生するのを簡単に防止し、折り重ねられた用紙を搬送させて画像形成を行う場合に、用紙に形成される画像の位置がずれたりすることがないようにする。【解決手段】  折り重ねられた用紙Ｓを給紙ローラー１３，１７により給紙させて搬送させ、折り重ねられた用紙に画像を形成するにあたり、折り重ねられた用紙の折り目Ｓａと反対側における折り重ねられた用紙の角部を耳折りさせ、耳折りされて折り返された耳折り部分を給紙ローラーと接触する側に位置させると共に、この耳折り部分を給紙方向先端側に位置させるようにした。【選択図】  図４
2013237501.tif 000002
【特許請求の範囲】
【請求項１】
折り重ねられた用紙を給紙ローラーにより給紙させて搬送させるにあたり、前記の折り重ねられた用紙の折り目と反対側における折り重ねられた用紙の角部を耳折りさせ、耳折りされて折り返された耳折り部分を給紙ローラーと接触する側に位置させると共に、この耳折り部分を給紙方向先端側に位置させるようにしたことを特徴とする用紙搬送方法。
【請求項２】
請求項１に記載の用紙搬送方法において、折り重ねられた用紙における前記の耳折り部分を前記の給紙ローラー側に位置させ、折り重ねられた用紙を、前記の折り目のライン方向に沿って前記の給紙ローラーにより給紙させて搬送させることを特徴とする用紙搬送方法。
【請求項３】
請求項１又は請求項２に記載の用紙搬送方法において、折り重ねる用紙の種類に対応させて、前記の耳折り部分の大きさを変更させることを特徴とする用紙搬送方法。
【請求項４】
請求項１〜請求項３の何れか１項に記載の用紙搬送方法によって搬送される前記の折り重ねられた用紙を画像形成部に導き、折り重ねられた用紙の片面に画像を形成した後、この折り重ねられた用紙を反転搬送経路において反転させて前記の画像形成部に導き、折り重ねられた用紙の反対側の面に画像を形成することを特徴とする画像形成方法。
【請求項５】
請求項４に記載の画像形成方法により折り重ねられた用紙に画像形成を行う画像形成装置において、折り重ねられた用紙の角部を耳折りする方法及び／又は折り重ねられて耳折りされた用紙をセットする方法を案内する案内手段が設けられていることを特徴とする画像形成装置。
【発明の詳細な説明】
【技術分野】
【０００１】
本発明は、折り重ねられた用紙を給紙ローラーにより給紙させて搬送させる用紙搬送方法、またこのように搬送される折り重ねられた用紙に画像形成を行う画像形成方法及び画像形成装置に関するものである。特に、折り重ねられた用紙を給紙ローラーにより給紙させて搬送させる際に、折り重ねられた用紙の上面と下面との重なりがずれて搬送ミスが発生するのを簡単に防止でき、またこのように折り重ねられた用紙を搬送させて画像形成を行う場合に、用紙に形成される画像の位置がずれたりするのを簡単に防止できるようにした点に特徴を有するものである。
【背景技術】
【０００２】
複写機、プリンター等の画像形成装置においては、使用できる用紙の最大サイズが決まっており、例えば、使用できる用紙の最大サイズがＡ４サイズの場合には、これより大きなサイズに画像を形成することができないため、従来においては、１つの大きな画像を２つの用紙に分割させて形成し、その後、この２つの用紙をテープなどで連結させて、１つの大きな画像を形成するようにしていた。
【０００３】
しかし、このような作業は非常に面倒であって時間を要すると共に、２つの用紙をテープなどで連結させる際に画像にずれが発生する等の問題があった。
【０００４】
このため、近年においては、特許文献１〜３に示されるように、大きな用紙を折り重ねてサイズを小さくし、このように折り重ねられた用紙を給紙ローラーにより給紙させて搬送させ、この折り重ねられた用紙の片面に画像を形成した後、この折り重ねられた用紙を反転させて、この折り重ねられた用紙の反対側の面に画像を形成し、その後、折り重ねられた用紙を広げて、大きな画像を１枚の用紙に形成するようにしたものが提案されている。
【０００５】
しかし、このように折り重ねられた用紙を給紙ローラーにより給紙させて搬送させる場合、給紙ローラーにより折り重ねられた用紙の上面が引っ張られて、折り重ねられた用紙の上面と下面との重なりがずれ、このように折り重ねられた用紙の上面と下面とがずれた状態で搬送されることにより、搬送される用紙が装置に詰まってジャムが発生したり、このような用紙に形成される画像の位置がずれたりする等の問題があった。
【０００６】
このため、特許文献１においては、折り重ねられた用紙の一部をのりで接着させて、折り重ねられた用紙の上面と下面とがずれるのを防止すると共に、のりで接着された部分の内側にミシン目を設けて、のりで接着された部分が切り離すことができるようにし、のりで接着された状態で折り重ねられた用紙の両面に画像を形成した後、前記のミシン目において、のりで接着させた部分を分離させて、折り重ねられた用紙を広げるようにしたものが提案されている。
【０００７】
しかし、このように折り重ねられた用紙の一部をのりで接着させると共に、のりで接着された部分の内側にミシン目を設けた特別の用紙を準備することは面倒で、コストが高く付くつくと共に、折り重ねられた用紙の両面に画像を形成した後、のりで接着させた部分をミシン目において分離させて用紙を広げる作業が面倒で時間を要し、さらに折り重ねられた用紙がミシン目において適切に分離されずに、用紙が破れたりする等の問題もあった。
【０００８】
また、特許文献２においては、折り重ねられた用紙の一部又は全部を粘着剤で仮着させて、折り重ねられた用紙の上面と下面とがずれるのを防止し、この状態で、折り重ねられた用紙の両面に画像を形成した後、粘着剤で仮着された用紙を広げるようにしたものが提案されている。
【０００９】
しかし、このように折り重ねられた用紙の一部又は全部が粘着剤で仮着された特別の用紙を準備することは面倒でコストが高く付き、また折り重ねられた用紙の両面に画像を形成した後、粘着剤で仮着された用紙を広げる作業も面倒で時間を要すると共に、用紙を広げる際に用紙が破れたりし、さらに広げた用紙における粘着剤が他の用紙等に付着するという問題があった。
【００１０】
また、特許文献３においては、用紙を給紙ローラー対に送る寄せローラー（ピックアップローラー）と、給紙ローラー対における下ローラー（捌きローラー）とを制御し、通常の用紙の場合には、前記の寄せローラーを用紙に接触させて、用紙を給紙ローラー対に送ると共に、給紙ローラー対における下ローラーの回転を停止させて、重送された用紙を分離させるようにする一方、折り重ねられた用紙を給紙させて搬送させる場合には、前記の寄せローラーを折り重ねられた用紙に接触させないようにすると共に、前記の給紙ローラー対における下ローラーを、用紙を送り出す方向に回転させて、折り重ねられた用紙の上面と下面との重なりがずれるのを抑制するようにしたものが提案されている。
【００１１】
しかし、このように用紙の種類に応じて、寄せローラーを移動させて用紙に接触させたり、用紙から離したり、さらに用紙の種類に応じて、下ローラーを回転させたり、停止させたりする操作を、その都度、制御することは面倒で時間を要すると共に、装置が複雑になって大型化するという問題があった。
【先行技術文献】
【特許文献】
【００１２】
【特許文献１】特開昭６２−１２９８３３号公報
【特許文献２】ＷＯ  ２００６／０６８２３６  Ａ１
【特許文献３】特開２００３−１２１６９号公報
【発明の開示】
【発明が解決しようとする課題】
【００１３】
本発明は、折り重ねられた用紙を給紙ローラーにより給紙させて搬送させる場合における前記のような問題を解決することを課題とするものである。
【００１４】
すなわち、本発明においては、折り重ねられた用紙を給紙ローラーにより給紙させて搬送させる際に、折り重ねられた用紙の上面と下面との重なりがずれて搬送ミスが発生したりするのを簡単に防止できると共に、このように折り重ねられた用紙を搬送させて画像形成を行う場合に、用紙に形成される画像の位置がずれたりするのを簡単に防止できるようにすることを課題とするものである。
【課題を解決するための手段】
【００１５】
本発明に係る用紙搬送方法においては、上記の課題を解決するため、折り重ねられた用紙を給紙ローラーにより給紙させて搬送させるにあたり、前記の折り重ねられた用紙の折り目と反対側における折り重ねられた用紙の角部を耳折りさせ、耳折りされて折り返された耳折り部分を給紙ローラーと接触する側に位置させると共に、この耳折り部分を給紙方向先端側に位置させるようにした。
【００１６】
このように折り重ねられた用紙の折り目と反対側における折り重ねられた用紙の角部を耳折りさせると、折り重ねられた上面側の用紙の耳折り部分が下面側の用紙の耳折り部分の下に位置するようになる。そして、この耳折り部分を前記の給紙ローラーと接触する面側に位置させると共に、この耳折り部分を給紙方向先端側に位置させて、この折り重ねられた用紙を給紙ローラーにより給紙させて搬送させると、給紙ローラーと接触する上面側の用紙の耳折り部分が、その上に位置する下面側の用紙の耳折り部分に抑えられて係止され、折り重ねられた上面側の用紙と下面側の用紙とが一緒になった状態で、折り重ねられた用紙が給紙ローラーにより給紙されて搬送されるようになる。
【００１７】
そして、前記のように折り重ねられた用紙を給紙ローラーにより給紙させて搬送させるにあたっては、折り重ねられた用紙における耳折り部分を給紙ローラー側に位置させ、この折り重ねられた用紙を、前記の折り目のライン方向に沿って前記の給紙ローラーにより給紙させて搬送させるようにすることができる。
【００１８】
また、前記のように折り重ねられた用紙を給紙ローラーにより給紙させて搬送させるにあたり、例えば、厚みが薄い用紙や腰の弱い用紙の場合には、給紙ローラーと接触する上面側の用紙の耳折り部分を、その上に位置する下面側の用紙の耳折り部分により抑えて係止させる力が弱くなり、折り重ねられた用紙を給紙ローラーにより給紙させて搬送させる際に、折り重ねられた上面側の用紙と下面側の用紙との重なりがずれやすくなる。このため、折り重ねられた用紙の折り目と反対側における折り重ねられた用紙の角部を耳折りするにあたっては、用紙の種類に対応させて、前記の耳折り部分の大きさを変更させることが好ましく、例えば、前記のような厚みが薄い用紙や腰の弱い用紙の場合には、耳折りする部分を大きくして、給紙ローラーと接触する上面側の用紙の耳折り部分が、その上に位置する下面側の用紙の耳折り部分によって十分に抑えられて係止されるようにすることが好ましい。
【００１９】
また、本発明に係る画像形成方法においては、折り重ねられた用紙を前記のように耳折りし、この折り重ねられた用紙を前記のように給紙ローラーにより給紙させて画像形成部に導き、折り重ねられた用紙の片面に画像を形成した後、この折り重ねられた用紙を反転搬送経路において反転させて前記の画像形成部に導き、折り重ねられた用紙の反対側の面に画像を形成するようにした。
【００２０】
そして、このように折り重ねられた用紙の両面に画像を形成し、この折り重ねられた用紙を広げると、広げられた大きな用紙に大きな画像を形成できるようになる。
【００２１】
また、本発明に係る画像形成装置においては、上記の画像形成方法により折り重ねられた用紙に画像形成を行うにあたり、折り重ねられた用紙の角部を耳折りする方法及び／又は折り重ねられて耳折りされた用紙をセットする方法を案内する案内手段を設けるようにした。
【００２２】
このように折り重ねられた用紙の角部を耳折りする方法や、折り重ねられて耳折りされた用紙をセットする方法を案内する案内手段を設けると、操作者が上記の画像形成方法によって折り重ねられた用紙に画像形成を行う際に、誤操作するのが防止される。
【発明の効果】
【００２３】
本発明の用紙搬送方法においては、上記のように折り重ねられた用紙の折り目と反対側における折り重ねられた用紙の角部を給紙ローラーと接触する面側に耳折りし、耳折りされて折り返された耳折り部分を給紙ローラーと接触する側に位置させると共に、この耳折り部分を給紙方向先端側に位置させて、この折り重ねられた用紙を給紙ローラーにより給紙させて搬送させるようにしたため、この耳折り部分において折り重ねられた上面側の用紙と下面側の用紙とが係止された状態で一緒に搬送されるようになり、折り重ねられた用紙を給紙ローラーにより給紙させて搬送させる際に、折り重ねられた上面側の用紙と下面側の用紙との重なりがずれるのが簡単に防止され、折り重ねられた用紙が適切に給紙されて搬送されるようになる。
【００２４】
また、上記のようにして折り重ねられた用紙を給紙ローラーにより給紙させて画像形成部に導き、折り重ねられた用紙の片面に画像を形成した後、この折り重ねられた用紙を反転搬送経路において反転させて前記の画像形成部に導き、折り重ねられた用紙の反対側の面に画像を形成させるようにすると、折り重ねられた用紙の上面と下面とがずれることなく、折り重ねられた用紙の両面に画像が適切に形成されるようになる。
【００２５】
そして、このように折り重ねられた用紙の両面に画像を形成した後、この折り重ねられた用紙を広げる場合には、単に耳折りした部分を戻すだけで、折り重ねられた用紙を簡単に広げることができ、従来のものに比べて、大きな画像を１枚の用紙に形成することが簡単に行えるようになる。
【００２６】
また、画像形成装置において、上記のようにして折り重ねられた用紙に画像を形成するにあたり、折り重ねられた用紙の角部を耳折りする方法や、折り重ねられて耳折りされた用紙をセットする方法を案内する案内手段を設けると、操作者が上記のようにして折り重ねられた用紙に画像形成を行う際に誤操作するのが防止され、折り重ねられた用紙の両面に画像を形成する操作が簡単且つ適切に行えるようになる。
【図面の簡単な説明】
【００２７】
【図１】本発明の実施形態において、給紙されて搬送される用紙に画像を形成する画像形成装置の例を示した概略説明図である。
【図２】前記の実施形態において、大きな用紙を折り目において２つ折りし、折り重ねられた用紙の折り目と反対側における折り重ねられた用紙の角部を耳折りする工程を示した概略説明図である。
【図３】前記の実施形態において、前記のように折り重ねられた用紙の折り目と反対側における折り重ねられた用紙の角部を耳折りした場合に、折り重ねられた上面側の用紙の耳折り部分が、その上に位置する下面側の用紙の耳折り部分に抑えられて係止される状態を示した部分概略説明図である。
【図４】前記の実施形態において、前記のように折り重ねられて折り目と反対側の角部が耳折された用紙を、給紙ローラーによって給紙させる状態を示した概略平面図である。
【図５】前記の実施形態において、前記のように折り重ねられて折り目と反対側の角部が耳折された用紙を、画像形成装置における給紙カセットから給紙させて、折り重ねられた用紙の両面にトナー画像を形成し、このように両面にトナー画像が形成された折り重ねられた用紙を広げた状態を示した概略説明図である。
【図６】前記の実施形態において、前記のように折り重ねられて折り目と反対側の角部が耳折された用紙を、画像形成装置における手差しトレイから給紙させて、折り重ねられた用紙の両面にトナー画像を形成し、このように両面にトナー画像が形成された折り重ねられた用紙を広げた状態を示した概略説明図である。
【図７】前記の実施形態において、厚みが薄い用紙や腰が弱い用紙の場合に、折り目と反対側における折り重ねられた用紙の角部を大きく耳折りさせた状態を示した概略平面図である。
【発明を実施するための最良の形態】
【００２８】
次に、この発明の実施形態に係る用紙搬送方法、画像形成方法及び画像形成装置を添付図面に基づいて具体的に説明する。なお、本発明に係る用紙搬送方法、画像形成方法及び画像形成装置は、下記の実施形態に示したものに限定されず、その要旨を変更しない範囲において適宜変更して実施できるものである。
【００２９】
この実施形態の画像形成装置１においては、図１に示すように、給紙カセット１１に収容された用紙Ｓをピックアップローラー１２により給紙カセット１１から導き出して、給紙ローラー１３と分離ローラー１４との間に導くようにすると共に、前記のピックアップローラー１２によって複数枚の用紙Ｓが一緒に給紙ローラー１３と分離ローラー１４との間に重送されてきた場合には、この給紙ローラー１３と分離ローラー１４との間で重送された用紙Ｓを分離させて、一枚の用紙Ｓを給紙ローラー１３と分離ローラー１４との間を通してタイミングローラー１５に搬送させるようにしている。
【００３０】
また、前記の給紙カセット１１とは別に手差しトレイ１６を設け、この手差しトレイ１６にセットされた用紙Ｓを給紙ローラー１７により給紙させると共に、この給紙ローラー１７により複数枚の用紙Ｓが一緒に給紙された場合には、この給紙ローラー１７とその下に設けられた捌きパッド１８との間で用紙Ｓを分離させて、この給紙ローラー１７により一枚の用紙Ｓを前記のタイミングローラー１５に搬送させるようにしている。
【００３１】
そして、前記のように給紙カセット１１や手差しトレイ１６から給紙されてタイミングローラー１５に導かれた用紙Ｓを、このタイミングローラー１５により適当なタイミングで画像形成を行う画像形成部２０に送るようにしている。
【００３２】
ここで、この画像形成部２０においては、回転する感光体２１の表面を帯電ローラー２２によって帯電させ、このように帯電された感光体２１の表面に潜像形成装置２３により画像情報に基づく露光を行って、感光体２１の表面に静電潜像を形成するようにしている。次いで、この感光体２１の表面に形成された静電潜像の部分に現像装置２４からトナーを供給して、感光体２１の表面にトナー画像を形成し、このトナー画像を回転する感光体２１によって転写ローラー２５と対向する位置に導くようにしている。
【００３３】
そして、このように感光体２１の表面に形成されたトナー画像が転写ローラー２５と対向する位置に導かれるタイミングに合わせて、前記の用紙Ｓをタイミングローラー１５により感光体２１と転写ローラー２５との間に導き、感光体２１の表面に形成されたトナー画像を転写ローラー２５により前記の用紙Ｓに転写させると共に、用紙Ｓに転写されずに感光体２１の表面に残ったトナー等をクリーニング装置２６によって感光体２１の表面から除去するようにしている。
【００３４】
また、前記のようにトナー画像が転写された用紙Ｓを定着装置２７に導き、この定着装置２７によって転写されたトナー画像を用紙Ｓに定着させた後、このようにトナー画像が定着された用紙Ｓを排紙・反転ローラー３１に導くようにしている。
【００３５】
そして、用紙Ｓの片面にだけトナー画像を形成する場合には、前記の排紙・反転ローラー３１を排紙方向に回転させて、トナー画像が定着された用紙Ｓを排紙トレイ３２の上に排出させるようにしている。
【００３６】
一方、前記の用紙Ｓの両面にトナー画像を形成する場合には、前記の排紙・反転ローラー３１を排紙方向にある程度回転させた後、この排紙・反転ローラー３１を反転させて、排紙・反転ローラー３１に導かれた用紙Ｓを排紙方向とは逆方向に送り、反転ガイド部材３３を介してこの用紙Ｓを反転搬送経路Ｒに導くようにする。そして、この反転搬送経路Ｒを通して前記の用紙Ｓを反転させ、このように反転された用紙Ｓを前記のタイミングローラー１５に導き、その後は、用紙Ｓが反転されてトナー画像が形成されていない用紙Ｓの面に、前記の場合と同様にしてトナー画像を形成するようにしている。
【００３７】
ここで、この実施形態の画像形成装置１において、例えば、使用できる用紙Ｓの大きさがＡ４サイズである場合に、Ａ３サイズの用紙Ｓに画像を形成するにあたっては、図２（Ａ）〜（Ｃ）に示すように、Ａ３サイズの用紙Ｓの長辺の中央部に折り目Ｓａを設け、この折り目Ｓａの位置においてＡ３サイズの用紙Ｓを２つ折りしてＡ４サイズになるように折り重ね、その後、この折り目Ｓａと反対側における折り重ねられた用紙Ｓの角部を、上面側の用紙Ｓ１と下面側の用紙Ｓ２とを重ねた状態で上面側に折り返すようにして耳折りさせる。
【００３８】
このように折り重ねられた用紙Ｓの角部を上面側に折り返すようにして耳折りさせると、図３に示すように、上面側の用紙Ｓ１において上面側に折り返された耳折り部分Ｓｂ１の上を、下面側の用紙Ｓ２において上面側に折り返された耳折り部分Ｓｂ２が覆うようになる。
【００３９】
そして、図４に示すように、このように耳折りされた耳折り部分Ｓｂを前記の給紙ローラー１３，１７と接触する側に位置させると共に、この耳折り部Ｓｂを給紙ローラー１３，１７による給紙方向先端側に位置させ、この状態で、折り重ねられた用紙Ｓを折り目Ｓａのライン方向に沿って、前記の給紙ローラー１３，１７により給紙させて搬送させるようにする。
【００４０】
このようにすると、折り重ねられた用紙Ｓにおける上面側の用紙Ｓ１が給紙ローラー１３，１７に接触して、折り重ねられた用紙Ｓが給紙ローラー１３，１７により給紙されて搬送される際に、上面側の用紙Ｓ１が前記の給紙ローラー１３，１７によって引っ張られても、前記の図３に示すように、上面側の用紙Ｓ１における耳折り部分Ｓｂ１が、その上に位置する下面側の用紙Ｓ２の耳折り部分Ｓｂ２によって係止され、折り重ねられた上面側の用紙Ｓ１と下面側の用紙Ｓ２とが一緒になった状態で、折り重ねられた用紙Ｓが給紙ローラー１３，１７により適切に給紙されて搬送されるようになる。
【００４１】
ここで、前記の画像形成装置１において、前記の給紙カセット１１から前記のようにして折り重ねられた用紙Ｓを給紙させて画像形成を行うにあたっては、前記のように折り重ねられて耳折りされた用紙Ｓにおける耳折り部分Ｓｂを給紙ローラー１３と接触する側に位置させると共に、この耳折り部分Ｓｂを給紙ローラー１３による給紙方向先端側に位置させるようにして、折り重ねられた用紙Ｓを給紙カセット１１にセットし、この折り重ねられた用紙Ｓを前記のピックアップローラー１２により給紙ローラー１３と分離ローラー１４との間に導き、給紙ローラー１３により、折り重ねられた用紙Ｓを給紙させて前記のタイミングローラー１５に導くようにする。
【００４２】
そして、このタイミングローラー１５により前記の折り重ねられた用紙Ｓを適当なタイミングで画像形成部２０に送ると、この折り重ねられた用紙Ｓにおける上面側の用紙Ｓ１が前記の感光体２１と対面するように導かれ、このように感光体２１と対面する位置に導かれた上面側の用紙Ｓ１に、図５（Ａ）に示すように、例えば「×」のトナー画像を形成する。
【００４３】
次いで、このように上面側の用紙Ｓ１にトナー画像が形成された折り重ねられた用紙Ｓを、前記の反転搬送経路Ｒを通して反転させて、前記のタイミングローラー１５に導くようにする。
【００４４】
そして、前記のように反転された折り重ねられた用紙Ｓを、タイミングローラー１５により適当なタイミングで画像形成部２０に送ると、この折り重ねられた用紙Ｓにおいてトナー画像が形成されていない下面側の用紙Ｓ２が前記の感光体２１と対面するように導かれ、このように感光体２１と対面する位置に導かれた下面側の用紙Ｓ２に、図５（Ｂ）に示すように、例えば「○」のトナー画像を形成する。
【００４５】
なお、前記のように折り重ねられた上面側の用紙Ｓ１や下面側の用紙Ｓ２にトナー画像を形成するにあたっては、それぞれ前記の耳折り部分Ｓｂにトナー画像が形成されないようにする。
【００４６】
そして、このように折り重ねられた用紙Ｓにおける上面側の用紙Ｓ１に「×」、下面側の用紙Ｓ２に「○」のトナー画像を形成した後、折り重ねられた用紙Ｓにおける前記の耳折り部分Ｓｂを戻すと、折り重ねられた用紙Ｓを簡単に広げることができ、Ａ３サイズの大きな用紙Ｓに対して「○」と「×」のトナー画像が簡単且つ適切に形成されるようになる。
【００４７】
また、前記の画像形成装置１において、前記の手差しトレイ１６から前記のようにして折り重ねられた用紙Ｓを給紙させて画像形成を行う場合にも、前記のように折り重ねられて耳折りされた用紙Ｓにおける耳折り部分Ｓｂを給紙ローラー１７と接触する側に位置させると共に、この耳折り部分Ｓｂを給紙ローラー１７による給紙方向先端側に位置させるようにして、折り重ねられた用紙Ｓを手差しトレイ１６にセットし、この折り重ねられた用紙Ｓを給紙ローラー１７により給紙させてタイミングローラー１５に導くようにする。
【００４８】
そして、このタイミングローラー１５により前記の折り重ねられた用紙Ｓを適当なタイミングで画像形成部２０に送ると、この折り重ねられた用紙Ｓにおける下面側の用紙Ｓ２が前記の感光体２１と対面するように導かれ、このように感光体２１と対面する位置に導かれた下面側の用紙Ｓ２に、図６（Ａ）に示すように、例えば「○」のトナー画像を形成する。
【００４９】
次いで、このように下面側の用紙Ｓ２にトナー画像が形成された折り重ねられた用紙Ｓを、前記の反転搬送経路Ｒを通して反転させて、前記のタイミングローラー１５に導くようにする。
【００５０】
そして、前記のように反転された折り重ねられた用紙Ｓを、タイミングローラー１５により適当なタイミングで画像形成部２０に送ると、この折り重ねられた用紙Ｓにおいてトナー画像が形成されていない上面側の用紙Ｓ１が前記の感光体２１と対面するように導かれ、このように感光体２１と対面する位置に導かれた上面側の用紙Ｓ１に、図６（Ｂ）に示すように、例えば「×」のトナー画像を形成する。
【００５１】
その後、このように下面側の用紙Ｓ２に「○」、上面側の用紙Ｓ１に「×」のトナー画像が形成された折り重ねられた用紙Ｓにおいて、前記の耳折り部分Ｓｂを戻すと、折り重ねられた用紙Ｓを簡単に広げることができ、Ａ３サイズの大きな用紙Ｓに対して「○」と「×」のトナー画像が簡単且つ適切に形成されるようになる。
【００５２】
また、前記のように折り重ねられた用紙Ｓにおいて、折り目Ｓａと反対側における折り重ねられた用紙Ｓの角部を耳折りさせるにあたり、厚みが薄い用紙Ｓや腰が弱い用紙Ｓの場合には、この折り重ねられた用紙Ｓを前記の給紙ローラー１３，１７により給紙させて搬送させる際に、折り重ねられた上面側の用紙Ｓ１における耳折り部分Ｓｂ１を下面側の用紙Ｓ２における耳折り部分Ｓｂ２によって十分に抑えて係止させることができず、折り重ねられた用紙Ｓを給紙ローラー１３，１７により給紙させて搬送させる際に、折り重ねられた上面側の用紙Ｓ１と下面側の用紙Ｓ２とがずれやすくなる。このため、厚みが薄い用紙Ｓや腰が弱い用紙Ｓの場合には、図７に示すように、折り重ねられた用紙Ｓにおける耳折り部分Ｓｂを、前記の用紙Ｓの場合よりも大きくし、折り重ねられた下面側の用紙Ｓ２における耳折り部分Ｓｂ２によって上面側の用紙Ｓ１の耳折り部分Ｓｂ１が十分に係止されるようにする。このようにすると、厚みが薄い用紙Ｓや腰が弱い用紙Ｓの場合においても、給紙ローラー１３，１７により給紙させて搬送させる際に、折り重ねられた上面側の用紙Ｓ１と下面側の用紙Ｓ２とがずれるのが防止されて、折り重ねられた用紙Ｓが適切に給紙されて搬送されるようになる。
【００５３】
また、折り重ねられた用紙Ｓを耳折りさせて耳折り部分Ｓｂを設ける位置や、用紙Ｓの種類に対応させて調整する耳折り部分Ｓｂの大きさや、折り重ねられた用紙Ｓを給紙カセット１１や手差しトレイ１６にセットさせる場合に、耳折り部分Ｓｂを各給紙ローラー１３，１７に対してどのように向けて、折り重ねられた用紙Ｓをセットするかを、操作者が誤ったりするのを防止するため、折り重ねられた用紙Ｓの角部を耳折りする方法や、折り重ねられて耳折りされた用紙Ｓを給紙カセット１１や手差しトレイ１６にセットする方法等を案内する案内手段として、前記の画像形成装置１における操作パネル３４の表示部３４ａにこれらの案内を表示させるようにしたり、また前記の画像形成装置１にこのような案内を行う音声ガイド（図示せず）を設けるようにしたりすることができる。
【符号の説明】
【００５４】
１  画像形成装置
１１  給紙カセット
１２  ピックアップローラー
１３  給紙ローラー
１４  分離ローラー
１５  タイミングローラー
１６  手差しトレイ
１７  給紙ローラー
１８  捌きパッド
２０  画像形成部
２１  感光体
２２  帯電ローラー
２３  潜像形成装置
２４  現像装置
２５  転写ローラー
２６  クリーニング装置
２７  定着装置
３１  排紙・反転ローラー
３２  排紙トレイ
３３  反転ガイド部材
３４  操作パネル，３４ａ  表示部
Ｒ  反転搬送経路
Ｓ  用紙，Ｓ１  上面側の用紙，Ｓ２  下面側の用紙
Ｓａ  折り目
Ｓｂ  耳折り部分，Ｓｂ１  上面側の用紙の耳折り部分，Ｓｂ２  下面側の用紙の耳折り部分
【図１】
2013237501.tif 000003
【図２】
2013237501.tif 000004
【図３】
2013237501.tif 000005
【図４】
2013237501.tif 000006
【図５】
2013237501.tif 000007
【図６】
2013237501.tif 000008
【図７】
2013237501.tif 000009